(57)【特許請求の範囲】
【請求項１】
中央サーバーから、時間による電気の価格情報を受信する受信手段と、
バッテリーを充電する電気の価格である充電基準価格を入力する第１入力手段と、
前記バッテリーを放電する電気の価格である放電基準価格を入力する第２入力手段と、
前記バッテリーの充放電を制御するために必要であり、充電量基準情報及び放電量基準情報を含む充放電条件に関する情報を入力する第３入力手段と、
前記受信した電気の価格情報が、前記充電基準価格以下であると、前記充電量基準情報に基づいて前記バッテリーを充電し、前記受信した電気の価格情報が、前記放電基準価格以上であると、前記放電量基準情報に基づいて前記バッテリーを放電する充放電手段と、
前記バッテリーの充放電と関連した電気量及び電気料金のうち一つ以上を把握する計量手段を含み、
前記計量手段は、前記バッテリーの充放電と関連した電気料金を、バッテリーの容量情報を用いて予測し、
前記充放電条件に関する情報は、特定期間の間に前記バッテリーを充電するのに用いられた電気量および／または電気料金を含み、前記計量手段は、特定期間の間に前記バッテリーを充電するのに用いられた電気量および／または電気料金が、既に設定された電気量および／または電気料金の上限値を超えるか否かを監視することを特徴とする
充放電装置。
【請求項２】
前記受信した電気の価格情報を、前記充電基準価格または放電基準価格と比較する比較手段をさらに含み、
前記充放電手段は、
前記比較手段による比較結果に基づき、前記受信した電気の価格情報が、前記充電基準価格以下である場合において前記バッテリーを充電し、前記受信された電気の価格情報が、前記放電基準価格以上である場合において前記バッテリーを放電することを特徴とする、請求項１に記載の充放電装置。
【請求項３】
前記バッテリーは、電気自動車用バッテリーであることを特徴とする、請求項１に記載の充放電装置。
【請求項４】
前記充放電手段は、前記バッテリーと連結された電源またはコンセントを制御することを特徴とする、請求項１に記載の充放電装置。
【請求項５】
前記計量手段は、スマートメーターを含むことを特徴とする、請求項１に記載の充放電装置。
【請求項６】
前記計量手段は、前記充電基準価格及び放電基準価格に基づき、電力会社からもらう電気料金を予測することを特徴とする、請求項１に記載の充放電装置。
【請求項７】
前記計量手段が把握した電気料金情報を、前記中央サーバー、使用者の携帯端末及びＩＨＤ（Ｉｎ  Ｈｏｍｅ  Ｄｉｓｐｌａｙ）のうち一つ以上に伝送する伝送手段をさらに含む、請求項１に記載の充放電装置。
【請求項８】
前記監視結果に基づき、使用者の携帯端末及びＩＨＤうち一つ以上に警告メッセージを伝送する伝送手段をさらに含む、請求項１に記載の充放電装置。
【請求項９】
前記充放電手段は、使用者の設定によって前記バッテリーの放電を行わないことを特徴とする、請求項１に記載の充放電装置。
【請求項１０】
前記充放電手段は、使用者から前記バッテリーの特性情報を受信し、前記バッテリーの特性情報に基づいて前記バッテリーを充電したり放電したりすることを特徴とする、請求項１に記載の充放電装置。
【請求項１１】
前記充放電手段は、前記バッテリーを充電するスケジュール及び放電するスケジュールを、時間または電気の価格を基準に決定し、前記決定されたスケジュールにしたがって前記バッテリーを充電したり放電したりすることを特徴とする、請求項１に記載の充放電装置。
【請求項１２】
中央サーバーから、時間による電気の価格情報を受信する受信段階と、
バッテリーを充電する電気の価格である充電基準価格を使用者から受信する第１入力段階と、
前記バッテリーを放電する電気の価格である放電基準価格を使用者から受信する第２入力段階と、
前記バッテリーの充放電を制御するために必要であり、充電量基準情報及び放電量基準情報を含む充放電条件に関する情報を入力する第３入力段階と、
前記受信した電気の価格情報が、前記充電基準価格以下であると、前記充電量基準情報に基づいて前記バッテリーを充電し、前記受信した電気の価格情報が、前記放電基準価格以上であると、前記放電量基準情報に基づいて場合において前記バッテリーを放電する充放電段階と、
前記バッテリーの充放電と関連した電気量及び電気料金のうち一つ以上を把握する計量段階を含み、
前記計量段階は、前記バッテリーの充放電と関連した電気料金を、バッテリーの容量情報を用いて予測し、
前記充放電条件に関する情報は、特定期間の間に前記バッテリーを充電するのに用いられた電気量および／または電気料金を含み、前記計量段階は、特定期間の間に前記バッテリーを充電するのに用いられた電気量および／または電気料金が、既に設定された電気量および／または電気料金の上限値を超えるか否かを監視することを特徴とする充放電方法。
【請求項１３】
前記受信した電気の価格情報を、前記充電基準価格または放電基準価格と比較する比較段階をさらに含み、
前記充放電段階は、
前記比較段階の比較結果に基づき、前記受信した電気の価格情報が、前記充電基準価格以下である場合において前記バッテリーを充電し、前記受信した電気の価格情報が、前記放電基準価格以上である場合において前記バッテリーを放電することを特徴とする、請求項１２に記載の充放電方法。
【請求項１４】
前記充放電段階は、前記バッテリーを充電するスケジュール及び放電するスケジュールを、時間または電気の価格を基準に決定し、前記決定されたスケジュールにしたがって前記バッテリーを充電したり放電したりすることを特徴とする、請求項１２に記載の充放電方法。
【発明の詳細な説明】
【技術分野】
【０００１】
本発明は、充放電装置及び充放電方法に係り、特に、電気の価格が時間によって変動するスマートグリッド社会において、バッテリーの充電及び放電を、電気の価格に応じて適切に調節することによって、電気エネルギーをより経済的に使用したり、商品として再び販売できるようにする等、使用者が電気エネルギーをより能動的に使用できるようにする。
【背景技術】
【０００２】
今まで、電気エネルギーは最大の需要を基準に供給されてきたし、エネルギー価格も固定的に維持されてきた。
然るに、最近では、限られたエネルギー資源をより効率的に利用し、エネルギー消費を低減する方案として、エネルギー価格を時間帯や季節別に差別化する方案が工夫されている。
電気エネルギーの効率的な利用を図る技術としてスマートグリッド（Ｓｍａｒｔ  Ｇｒｉｄ）やスマートメーター（Ｓｍａｒｔ  Ｍｅｔｅｒ）が注目されている。
スマートグリッドは、電力網に情報技術（ＩＴ）を導入して、電力供給者と消費者とが双方向に実時間情報を交換できるようにすることによって、エネルギー効率を最適化し、新しい付加価値を創出できる次世代電力網である。
スマートグリッドは、エネルギー消費者にとっては、エネルギー価格の変動に応じて自身に最も合理的な時間帯にエネルギーを使用できるようにするものとなる。
【０００３】
一方、電気エネルギーの充電及び放電が可能な大容量バッテリーが普及されており、電気の価格が時間によって変動する価格変動制の下では、バッテリーを安価に充電することに関心が集まっている。
また、スマートグリッド社会において、需要と供給とのずれによって電気の価格が時間によって変動すると、電気エネルギーは、電力会社から使用者に一方的に供給されるものという認識から脱皮し、誰でも売買可能な商品として認識されることとなる。
電気エネルギーは無形の商品ではあるが、バッテリーに蓄えることができる点から、使用者による管理が可能である。このため、バッテリーは、電気自動車のように単純に電気エネルギーを用いて動作する負荷を駆動させる役割の他、商品としての電気エネルギーを蓄える役割も果たすことができる。
そこで、電気の価格が時間によって変動するスマートグリッド社会では、使用者が電気エネルギーをより能動的に取り扱えるような種々の方法の開発が望まれる。
［特許文献１］特開２００８−６７４１８号
［特許文献２］特開２００９−１００５６９号
［特許文献３］韓国特許公開公報２０００−２４４２５号
【発明の概要】
【発明が解決しようとする課題】
【０００４】
本発明は上記の点に鑑みてなされたもので、その目的は、電気の価格が時間によって変動する価格変動制の下に、使用者がバッテリーの充電と放電を適切に調節しながら電気エネルギーを能動的に使用できるようにする充放電装置及び充放電方法を提供することにある。
【課題を解決するための手段】
【０００５】
上記目的を達成するために、本発明に係る充放電装置は、中央サーバーから、時間による電気の価格情報を受信する受信手段と、バッテリーを充電する電気の価格を入力する第１入力手段と、前記バッテリーを放電する電気の価格を入力する第２入力手段と、前記受信した電気の価格情報が、前記第１入力手段を介して入力された電気の価格以下である場合において前記バッテリーを充電し、前記受信した電気の価格情報が、前記第２入力手段を介して入力された電気の価格以上である場合において前記バッテリーを放電する充放電手段と、を含む。
【０００６】
本発明に係る充放電装置は、中央サーバーから、時間による電気の価格情報を受信する受信手段と、バッテリーを充電する電気の価格を入力する第１入力手段と、前記バッテリーを放電する電気の価格を入力する第２入力手段と、前記受信した電気の価格情報を、前記第１入力手段及び前記第２入力手段を介して入力された電気の価格と比較する比較手段と、前記比較手段による比較結果に基づき、前記受信した電気の価格情報が、前記第１入力手段を介して入力された電気の価格以下である場合において前記バッテリーを充電し、前記受信した電気の価格情報が、前記第２入力手段を介して入力された電気の価格以上である場合において前記バッテリーを放電する充放電手段と、を含んでなることができる。
【０００７】
前記バッテリーは、電気自動車用バッテリーであればよい。
前記充放電手段は、前記バッテリーと連結された電源またはコンセントを制御するように構成されればよい。
前記充放電システム及び充放電装置は、前記バッテリーの充放電と関連した電気量及び電気料金を把握する計量手段をさらに含むことができる。
前記計量手段は、スマートメーターを含むことができる。
前記計量手段は、前記バッテリーの充放電と関連した電気料金を、バッテリーの容量情報を用いて予測することができる。
前記計量手段は、前記第１入力手段及び第２入力手段を介して入力された電気の価格情報に基づき、電力会社からもらう電気料金を予測することができる。
前記計量手段が把握した電気料金情報は、中央サーバー、使用者の携帯端末、ＩＨＤ（Ｉｎ  Ｈｏｍｅ  Ｄｉｓｐｌａｙ）などに伝送することができる。
【０００８】
前記計量手段は、特定期間においてバッテリーを充電した電気料金が、既に設定された上限値を超えるかを監視することができる。
そして、前記監視結果に基づき、使用者の携帯端末やＩＨＤなどに警告メッセージを伝送することができる。
前記充放電手段は、使用者の設定によって、前記バッテリーの放電機能を行わず、充電機能のみを行うことができる。
前記充放電手段は、使用者から前記バッテリーの特性情報を受信し、前記バッテリーの特性情報に基づいて前記バッテリーを充電したり放電したりすることができる。
前記充放電手段は、使用者から充電量基準情報を受信し、前記充電量基準情報に基づいて前記バッテリーを充電することができる。
前記充放電手段は、使用者から放電量基準情報を受信し、前記放電量基準情報に基づいて前記バッテリーを放電することができる。
【０００９】
前記充放電手段は、前記バッテリーを充電するスケジュール及び放電するスケジュールを、時間または電気の価格を基準に決定し、前記決定されたスケジュールにしたがって前記バッテリーを充電したり放電したりすることができる。
前記充放電手段は、使用者にとって最も経済的に利益となるように前記スケジュールを決定すればよい。
【００１０】
前記バッテリーは複数個であってもよく、前記充放電手段は、前記スケジュールを各バッテリーに対して個別的に決定したり、バッテリーグループ別に決定したりすればよい。
【００１１】
本発明に係る充放電方法は、中央サーバーから、時間による電気の価格情報を受信する受信段階と、バッテリーを充電する電気の価格を入力する第１入力段階と、前記バッテリーを放電する電気の価格を入力する第２入力段階と、前記受信した電気の価格情報が、前記第１入力段階によって入力された電気の価格以下である場合において前記バッテリーを充電し、前記受信した電気の価格情報が、前記第２入力段階によって入力された電気の価格以上である場合において前記バッテリーを放電する充放電段階と、を含む。 
本発明に係る充放電方法は、中央サーバーから、時間による電気の価格情報を受信する受信段階と、バッテリーを充電する電気の価格を入力する第１入力段階と、前記バッテリーを放電する電気の価格を入力する第２入力段階と、前記受信した電気の価格情報を、前記第１入力段階及び前記第２入力段階によって入力された電気の価格と比較する比較段階と、前記比較段階の比較結果に基づき、前記受信した電気の価格情報が、前記第１入力段階によって入力された電気の価格以下である場合において前記バッテリーを充電し、前記受信した電気の価格情報が、前記第２入力段階によって入力された電気の価格以上である場合において前記バッテリーを放電する充放電段階と、を含んでなることができる。
【００１２】
前記充放電段階は、前記バッテリーを充放電するために、前記バッテリーと連結された電源またはコンセントを制御することができる。
本発明に係る充放電方法は、前記バッテリーの充放電と関連した電気量及び電気料金のうち一つ以上を把握する計量段階をさらに含むことができる。
前記計量段階は、スマートメーターで行えばよい。
前記計量段階は、前記バッテリーの充放電と関連した電気料金を、バッテリーの容量情報を用いて予測することができる。
前記計量段階は、前記第１入力段階及び第２入力段階によって入力された電気の価格情報に基づき、電力会社からもらう電気料金を予測することができる。
前記計量段階で把握された電気料金情報は、中央サーバー、使用者の携帯端末、ＩＨＤなどに伝送することができる。
【００１３】
前記計量段階は、特定期間においてバッテリーを充電した電気料金が、既に設定された上限値を超えるかを監視することができる。
そして、前記監視結果に基づき、使用者の携帯端末やＩＨＤなどに警告メッセージを伝送することができる。
【００１４】
前記充放電段階は、使用者の設定によって、前記バッテリーの放電は行わず、充電のみを行うことができる。
前記充放電段階は、使用者から前記バッテリーの特性情報を受信し、前記バッテリーの特性情報に基づいて前記バッテリーを充電したり放電したりすることができる。
前記充放電段階は、使用者から充電量基準情報を受信し、前記充電量基準情報に基づいて前記バッテリーを充電することができる。
前記充放電段階は、使用者から放電量基準情報を受信し、前記放電量基準情報に基づいて前記バッテリーを放電することができる。
前記充放電段階は、前記バッテリーを充電するスケジュール及び放電するスケジュールを、時間または電気の価格を基準に決定し、前記決定されたスケジュールにしたがって前記バッテリーを充電したり放電したりすることができる。
前記充放電段階は、使用者にとって最も経済的な利益となるように前記スケジュールを決定すればいい。
【００１５】
前記バッテリーは複数個であってもよく、前記充放電段階は、前記スケジュールを各バッテリーに対して個別的に決定したり、バッテリーグループ別に決定したりすればよい。
【発明の効果】
【００１６】
本発明によれば、使用者は、電気の価格が時間によって変動する価格変動制の下で、自身が容認できる電気の価格を設定することによって、バッテリーの充電計画や放電計画を立てることができる。
使用者は、前記計画に基づき、電気の価格が安い時にバッテリーを充電し、電気の価格が高い時に電気エネルギーを回収して、家庭、オフィス、会社などのエネルギー使用先で使用したり、電力会社に再び販売することができる。
したがって、電気エネルギーを蓄積しておき、停電などの緊急時に電力を供給する無停電電源供給装置（ＵＰＳ）、電気自動車のバッテリー、または使用者が任意に具備したバッテリーなどは、小規模の発電機の役割を果たすこともできる。
バッテリーの充電及び放電は、時間によって変動する電気の価格と使用者が設定する充電基準価格及び放電基準価格に基づいてなされるから、電気に関する知識がない一般の使用者も、電気エネルギーの利用計画を容易に立てることができる。
したがって、使用者は、電気エネルギーの充電及び放電をより能動的に調節して電気料金を節約でき、さらには電気エネルギーを商品として電力会社に販売することによって、経済的な利益を得ることもできる。
【図面の簡単な説明】
【００１７】
【図１】本発明に係る充放電システムの一実施例を示すブロック図てある。
【図２】電気の価格構造の例を示す図である。
【図３】充放電手段の基本動作を示す流れ図である。
【図４】電気の価格によるバッテリーの動作状態を図式的に示す図である。
【図５】本発明に係る充放電装置の実施例を示すブロック図である。
【図６】本発明に係る充放電装置の実施例を示すブロック図である。
【図７】充放電手段の具体的な実施例を示すブロック図である。
【図８】充放電手段の具体的な動作例を示す流れ図である。
【図９】充放電手段の具体的な動作例を示す流れ図である。
【図１０】使用者の経済的利益が最大化するように充放電スケジュールを決定する例を示す図である。
【図１１】時間基準に充放電スケジュールを決定する例を説明するための図である。
【図１２】バッテリーが複数である場合における充放電手段を示すブロック図である。
【図１３】バッテリーが複数である場合における充放電手段を示すブロック図である。
【図１４】本発明に係る充放電方法の実施例を示すブロック図である。
【図１５】本発明に係る充放電方法の実施例を示すブロック図である。
【発明を実施するための形態】
【００１８】
以下、添付の図面を参照しつつ、本発明の好適な実施例について詳細に説明する。
図１は、本発明に係る充放電システムの一実施例を示す図で、この充放電システムは、使用者１６が、時間によって変動する電気の価格を考慮してバッテリー１９を充電または放電できるようにする。
本発明において「放電」は、バッテリー１９に蓄えられている電気エネルギーを再び回収するということを意味する。
放電された電気エネルギーは、テレビジョン（ＴＶ）セット、オーディオセット、冷蔵庫、暖房機器など、エネルギー使用先に備えられている各種負荷１５を駆動させるエネルギーとしたり、電力会社１１に再び販売したりすることができる。
電力会社１１は電気エネルギーを供給し、電力会社１１から供給する電気エネルギーは、電気線路１１−１に沿って分配され、変電所などを経由して適度の電圧レベルに変換された後、エネルギー使用先に引き込まれる。
【００１９】
バッテリー１９は、無停電電源供給装置（ＵＰＳ；Ｕｎｉｎｔｅｒｒｕｐｔｉｂｌｅ  Ｐｏｗｅｒ  Ｓｕｐｐｌｙ）に使われるバッテリーや電気自動車のバッテリーのように、エネルギー使用先においてその固有の用途に使用されるものであってもよく、使用者が、電気の価格が安い時に充電しておき、電気の価格が高い時に放電してエネルギー使用先の負荷１５を動作させたり、再販売したりするために保有しているものであってもよい。
変動料金制の下で、電気の価格は時間によって変動し、時間による電気の価格情報は、中央サーバー１３から伝送される。
中央サーバー１３は、電力会社または電気の価格情報を各使用者に提供する事業者が運営するサーバーで、無線メッシュ（Ｍｅｓｈ）、電力線通信網、インターネット網などの様々な通信網を介して、電気の価格情報を伝送することができる。 
充放電システムは、様々な構成とすることができ、少なくとも、受信手段２１、第１入力手段２２、第２入力手段２３、充放電手段２６を含んでなる。
また、充放電システムは、比較手段２５、計量手段２７、計測手段２８、伝送手段２９などをさらに含んでなることができる。
【００２０】
第１入力手段２２は、使用者１６がバッテリー１９を充電しようとする電気の価格を入力できるようにする。すなわち、使用者１６は、いくらの電気の価格においてバッテリー１９を充電するかを、第１入力手段２２を介して入力する。
以下では、第１入力手段２２を介して入力される電気の価格を、「充電基準価格」と称する。
【００２１】
第２入力手段２３は、使用者１６がバッテリー１９を放電しようとする電気の価格を入力できるようにする。すなわち、使用者１６は、いくらの電気の価格においてバッテリー１９を放電して別の所に使用するかを、第２入力手段２３を介して入力する。
以下では、第２入力手段２３を介して入力される電気の価格を、「放電基準価格」と称する。
【００２２】
第１入力手段２２及び第２入力手段２３は、使用者とインターフェースする構成要素で、様々な構造及び形態のものとすることができる。
例えば、第１入力手段２２及び第２入力手段２３は、使用者が、キーパッドやタッチスクリーンなどを介して充電基準価格及び放電基準価格を入力したり、使用者の携帯端末１７−１やＩＨＤ（Ｉｎ  Ｈｏｍｅ  Ｄｉｓｐｌａｙ）１７−２などの別の装置を介して遠隔入力したりするように構成することができる。
使用者１６が第１入力手段２２及び第２入力手段２３を介して入力した充電基準価格情報及び放電基準価格情報は、様々な経路を経て比較手段２５や充放電手段２６に伝達される。このとき、上記価格情報は、使用者１６が入力すると直ちに伝達されてもよく、必要時に該当の情報がアクセスされてもよい。
【００２３】
比較手段２５は、受信手段２１を介して受信された電気の価格情報を、充電基準価格や放電基準価格と比較する。
充放電手段２６は、比較手段２５の比較結果に基づいてバッテリー１９を充電したり放電したりする。
すなわち、充放電手段２６は、電気線路１１−１を通じてエネルギー使用先に引き込まれる交流（ＡＣ）電流を直流（ＤＣ）電流に変換してバッテリー１９を充電したり、バッテリー１９の直流（ＤＣ）電流を交流（ＡＣ）電流に変換して回収する。
価格変動制の下で、時間による電気の価格は、様々な構造を有することができる。
図２は、時間によって変動する電気の価格構造に関する例を示す図であり、図２の（２ａ）は、商店街、工場、大型建物などで主に用いる時間帯別料金制（ＴＯＵ：Ｔｉｍｅ  ｏｆ  Ｕｓｅ  Ｐｒｉｃｉｎｇ）を示し、図２の（２ｂ）は、時間帯によって電気の価格が異なると共に、特にピーク区間における価格が非常に高い緊急ピーク時間帯料金制（ＣＰＰ：Ｃｒｉｔｉｃａｌ  Ｐｅａｋ  Ｐｒｉｃｉｎｇ）を示し、図２の（２ｃ）は、電気の価格がリアルタイムで変動するリアルタイム料金制（ＲＴＰ：Ｒｅａｌ−Ｔｉｍｅ  Ｐｒｉｃｉｎｇ）を示している。
【００２４】
時間による電気の価格情報は、様々な経路を通じて入力されてよく、これは受信手段２１で行われる。
受信手段２１は、中央サーバー１３が通信網を介して伝送する、時間による電気の価格情報を受信することができる。
また、受信手段２１は、使用者１６が電気の価格情報を直接入力できるように構成されてもよい。
すなわち、電力会社１１が、時間による電気の価格情報を、ファクシミリ、文字メッセージ、電話などを介して使用者１６に通知したり、時間による電気の価格情報を、インターネットウェブサイトなどを介して公知したりする場合には、使用者１６が、時間による電気の価格情報を確認することができる。
これにより、使用者１６は、時間による電気の価格を直接入力することが可能になる。
受信手段２１は、使用者１６が時間による電気の価格情報を入力できるように、ユーザインターフェース（ＵＩ：Ｕｓｅｒ  Ｉｎｔｅｒｆａｃｅ）を提供したり、使用者が時間による電気の価格情報を入力する別の装置、例えば、使用者の携帯端末１７−１やＩＨＤ  １７−２などから電気の価格情報を受信することができる。
受信手段２１が比較手段２５や充放電手段２６と時間による電気の価格情報をやり取りするインターフェースは、充放電システムの構造に応じて様々に構成することができる。
例えば、受信手段２１は、比較手段２５や充放電手段２６と別体として構成しなくてもよく、この場合、有線または無線の様々な通信方式を用いて、時間による電気の価格情報をやり取りすればよい。
【００２５】
図３を参照して充放電手段２６の基本的な動作について説明する。充放電手段２６は、電気の価格が充電基準価格以下の時にバッテリー１９を充電する動作をし（Ｓ２１１，Ｓ２１２）、電気の価格が放電基準価格以上の時にバッテリー１９を放電する動作をする（Ｓ２１３，Ｓ２１４）。
【００２６】
図４は、充放電手段２６の動作を図式化したもので、使用者が入力した充電基準価格がＰ１、使用者が入力した放電基準価格がＰ２、電力会社１１から供給する電気の最小価格がＰｍｉｎ、電力会社１１から供給する電気の最大価格がＰｍａｘであるとする。
したがって、充放電手段２６は、電力会社１１から供給する電気の価格がＰｍｉｎとＰ１との間にある時にバッテリー１９を充電し、電力会社１１から供給する電気の価格がＰ２とＰｍａｘとの間にある時にバッテリー１９を放電する。
しかし、電力会社１１から供給する電気の価格がＰ１より高くＰ２より低い時は、充放電動作を行わない。
【００２７】
充放電システムは、バッテリー１９の充放電動作をさらに細部的に調節したり、その機能を向上させたりするために、計量手段２７、計測手段２８、伝送手段２９などをさらに含むことができる。
計量手段２７は、バッテリー１９を充電するために消費される電気量や電気料金、バッテリー１９を放電する時に回収される電気量や電気料金を把握する計器の役割を果たす。
このような計量手段２７は、スマートメーターを用いて構成すればよく、バッテリー１９に伝達されたりバッテリー１９から回収される電気エネルギーを検出できるような任意の場所に設置すればいい。
計測手段２８は、バッテリー１９の容量情報、特に、バッテリー１９の残余容量情報を検出する役割を果たす。
計量手段２７は、計測手段２８で検出したバッテリー１９の残余容量情報、及び受信手段２１を介して受信された電気の価格情報に基づき、充電時に必要な電気料金や放電時に発生する電気料金を、あらかじめ予測してもよい。
【００２８】
例えば、現在バッテリー１９の残余容量比率が６０％であり、バッテリー１９が完全に充電された時の電気量がＱｍａｘであれば、「Ｑｍａｘ×０．４」だけの電気量に電気の単位価格をかけて、充電時に必要な電気料金を予測でき、放電時に発生する電気料金は、「Ｑｍａｘ×０．６」だけの電気量に電気の単位価格をかけて予測することができる。
【００２９】
また、計量手段２７は、充電基準価格及び放電基準価格に基づき、充電時に必要な電気料金や放電時に発生する電気料金を予測することもでき、放電時に電力会社１１からもらう電気料金を、あらかじめ予測することもできる。
上記の例において、充電時に必要な電気料金は、「Ｑｍａｘ×０．４」だけの電気量に充電基準価格をかけて予測でき、放電時に発生する電気料金は、「Ｑｍａｘ×０．６」だけの電気量に放電基準価格をかけて予測することができる。
【００３０】
放電時に電力会社１１からもらう電気料金は、放電時に発生する電気料金と一致する場合もあるが、電力会社１１と特別に設定した電気エネルギーの再販売価格を適用したり、税金などを抜いて使用者が実際にもらう金額として予測することもできる。
このように、計量手段２７は、バッテリー１９の充放電と関連した様々な情報を把握したり、あらかじめ予測したりすることができる。
伝送手段２９は、充放電システムの動作と関連した各種情報を、他の装置に伝送する役割を果たす。
この時、様々な有線または無線の通信方法を用いればよく、移動通信網のような広帯域通信網を介して情報を伝送してもよい。
【００３１】
伝送手段２９が伝送する情報の例としては、計量手段２７で把握または予測した情報を挙げることができる。具体的な例には、バッテリー１９の充電または放電と関連した電気料金、予測された充電時の電気料金と放電時の電気料金、電力会社からもらう電気料金などが挙げられる。
伝送手段２９は、このような情報を、中央サーバー１３、使用者の携帯端末１７−１、ＩＨＤ（Ｉｎ  Ｈｏｍｅ  Ｄｉｓｐｌａｙ）１７−２などに伝送することができる。
【００３２】
また、計量手段２７は、特定期間においてバッテリー１９を充電するのに使われた電気量や電気料金が、既に設定された上限値を超えるか否かを監視するように構成されてもよい。
この場合、伝送手段２９は、計量手段２７の監視結果、バッテリー１９を充電した電気量や電気料金が、既に設定された上限値を超えると、使用者の携帯端末１７−１やＩＨＤ  １７−２に警告メッセージを伝送することができる。
ここで、上限値は、使用者１６が設定しておくことができ、放電が行われた場合には、充電にかかった電気料金から放電時に発生した電気料金を引いた電気料金のみに対して、上限値を超えたか否かを判断すればいい。
【００３３】
図５は、本発明に係る充放電装置３０の一実施例を示す図である。充放電装置３０は、少なくとも、受信手段２１、第１入力手段２２、第２入力手段２３、充放電手段２６を含んでなり、受信手段２１を介して受信された電気の価格情報を、第１入力手段２２及び第２入力手段２３を介して入力された電気の価格と比較する比較手段２５をさらに含むことができる。
【００３４】
図６は、本発明に係る充放電装置３０の他の実施例を示す図であり、バッテリー１９の充放電動作をより細部的に調節したり、その機能を向上させたりするために、計量手段２７、計測手段２８、伝送手段２９などをさらに含むことができる。
【００３５】
本発明に係る充放電装置３０における受信手段２１、第１入力手段２２、第２入力手段２３、充放電手段２６、比較手段２５、計量手段２７、計測手段２８、伝送手段２９の役割は、上述した充放電システムにおけるそれと同一なので、重複説明は避け、要旨のみを説明する。
第１入力手段２２は、使用者がバッテリー１９を充電しようとする電気の価格である充電基準価格を入力できるようにし、第２入力手段２３は、使用者がバッテリー１９を放電しようとする電気の価格である放電基準価格を入力できるようにする。
第１入力手段２２及び第２入力手段２３は、使用者とインターフェースする構成要素で、様々な構成とすることができる。
充放電手段２６は、充電基準価格、放電基準価格、そして時間による電気の価格に基づき、バッテリー１９を充電したり放電したりする。すなわち、充放電手段２６は、電気の価格が充電基準価格以下の時にバッテリー１９を充電し、電気の価格が放電基準価格以上の時にバッテリー１９を放電する。
【００３６】
価格変動制の下で、図２で説明したように、電気の価格構造は様々なものにすることができる。
時間による電気の価格情報は、様々な経路を通じて入力されてよく、これは受信手段２１で行われる。
受信手段２１は、中央サーバー１３が通信網を介して伝送する、時間による電気の価格情報を受信したり、使用者が電気の価格情報を直接入力できるように構成されればよい。
後者の場合、受信手段２１は、使用者が時間による電気の価格情報を入力できるようにユーザインターフェースを提供したり、使用者が時間による電気の価格情報を入力する別の装置、例えば、使用者の携帯端末１７−１やＩＨＤ  １７−２などから、電気の価格情報を受信することができる。
【００３７】
計量手段２７は、バッテリー１９を充電するために消費される電気量や電気料金、バッテリー１９を放電する時に回収される電気量や電気料金を把握する計器の役割を果たす。
【００３８】
この計量手段２７は、スマートメーターから構成することができ、バッテリー１９に伝達されたり、バッテリー１９から回収される電気エネルギーを検出できるような任意の場所に設置されればいい。
計測手段２８は、バッテリー１９の容量情報、特にバッテリー１９の残余容量情報を検出する役割を果たす。
【００３９】
計量手段２７は、計測手段２８で検出したバッテリー１９の残余容量情報、及び受信手段２１を介して受信された電気の価格情報に基づき、充電時に必要な電気料金や放電時に発生する電気料金を、あらかじめ予測することができる。
また、計量手段２７は、充電基準価格及び放電基準価格に基づき、充電時に必要な電気料金や放電時に発生する電気料金をあらかじめ予測したり、放電時に電力会社からもらう電気料金をあらかじめ予測することもできる。
【００４０】
伝送手段２９は、充放電装置３０の動作と関連した各種情報を、別の装置に伝送する役割を果たす。この時、様々な有線または無線の通信方法を用いればよく、移動通信網のような広帯域通信網を介して情報を伝送してもよい。
伝送手段２９が伝送する情報の例として、計量手段２７で把握したり予測した情報を挙げることができる。具体的な例には、バッテリーの充電または放電と関連した電気料金、予測された充電時の電気料金と放電時の電気料金、電力会社からもらう電気料金などが挙げられる。
伝送手段は、このような情報を、中央サーバー１３、使用者の携帯端末１７−１、ＩＨＤ  １７−２などに伝送することができる。
【００４１】
また、計量手段２７は、特定期間においてバッテリー１９を充電するために使われた電気量や電気料金が、既に設定された上限値を超えるか否かを監視するように構成することができる。
この場合、伝送手段２９は、計量手段２７の監視結果、バッテリー１９を充電した電気量や電気料金が、既に設定された上限値を超えると、使用者の携帯端末１７−１やＩＨＤ  １７−２に警告メッセージを伝送することができる。
ここで、上限値は使用者が設定しておくことができ、放電がなされた場合には、充電にかかった電気料金から放電時に発生した電気料金を引いた電気料金のみに対して、上限値を超えたか否かを判断すればよい。
【００４２】
以下、本発明に係る充放電システム及び充放電装置の充放電手段２６が、バッテリーの充放電を制御する様々な実施例について説明する。
図７は、充放電手段２６の一具体例であり、充放電手段２６は、第３入力手段７１、スケジューラ７３、バッテリーコントローラ７５を備えることができる。
第３入力手段７１は、使用者が、充電基準価格と放電基準価格の他、バッテリー１９の充放電を制御するために必要とする情報（以下、充放電条件に関する情報という。）を入力できるようにする。
充放電条件に関する情報は、必要に応じて様々に構成すればよい。
例えばバッテリーの放電機能を非活性化させるか否かを決定する充放電モード情報、バッテリーの充電にかかる時間や放電にかかる時間などのバッテリーの特性情報、充電量基準情報、放電量基準情報などが挙げられる。
【００４３】
ここでいう充電量基準情報は、どの程度までバッテリー１９を充電するかに関する情報で、目標バッテリー充電量（例:バッテリーの残余容量比率）、どの程度の電気を充電に使用するかに関する目標電気使用量、いくら分の電気を充電に使用するかに関する目標充電料金などを挙げることができる。
放電量基準情報は、どの程度までバッテリー１９を放電するかを決定するための情報で、バッテリーを、どれだけの容量が残るまで放電するかに関する目標バッテリー放電量（例:バッテリーの残余容量比率）、どれだけの電気を放電するかに関する目標電気放電量、いくら分の電気を放電するかに関する目標放電料金などを挙げることができる。
【００４４】
第３入力手段７１は、使用者とインターフェースする構成要素で、様々な構造及び形態にすることができる。
例えば、使用者がキーパッドやタッチスクリーンなどを介して該当の情報を直接入力したり、使用者の携帯端末１７−１やＩＨＤ  １７−２等を介して遠隔入力したりするように構成することができる。
スケジューラ７３は、受信手段２１を介して入力される時間による電気の価格情報、第１入力手段２２を介して入力される充電基準価格情報、第２入力手段２３を介して入力される放電基準価格情報、第３入力手段７１を介して入力される充放電条件に関する情報、計量手段２７を介して入力される情報、計測手段２８を介して入力されるバッテリー容量に関する情報などに基づき、バッテリー１９を充電したり放電したりするスケジュールを決定する。
そして、スケジューラ７３は、決定されたスケジュールにしたがってバッテリーコントローラ７５を制御することによって、バッテリー１９を充電状態または放電状態にする。
【００４５】
バッテリーコントローラ７５は、スケジューラ７３の制御によって、電気線路１１−１を通じてエネルギー使用先に引き込まれる交流（ＡＣ）電流を直流（ＤＣ）電流に変換してバッテリー１９に供給することによって、バッテリー１９を充電状態に制御したり、バッテリー１９の直流（ＤＣ）電流を交流（ＡＣ）電流に変換して電気線路１１−１側に伝送することによって、バッテリー１９を放電状態に制御する。
ここで、バッテリーコントローラ７５は、バッテリー１９と電気線路１１−１とが連結される接点またはコンセントを連結状態や開放状態に調節することでバッテリーの充電と放電を制御するように構成されればよい。
【００４６】
（１）スケジューラ７３は、第３入力手段７１を介して入力された充放電モードが、放電機能を非活性化させるものであれば、放電機能は行われない。
例えば、バッテリー１９が電気自動車のバッテリーである場合、使用者が電気自動車を出退勤用に使用しているとすれば、バッテリー１９の放電を希望しないこともある。このように、使用者が電気の価格が安い時にバッテリー１９を充電することにのみ関心があり、放電には関心がないとすれば、使用者の便宜のために、バッテリー放電機能を非活性化させればよい。
【００４７】
（２）スケジューラ７３は、充電基準価格の他、充電量基準情報も考慮して、バッテリーの充電スケジュールを決定することができる。
図８を参照すると、スケジューラ７３は、電気の価格が充電基準価格以下であり（Ｓ２２１）、充電量基準情報に基づき、充電が必要と判断される場合にのみ、バッテリー１９を充電するようにバッテリーコントローラ７５を制御する（Ｓ２２２、Ｓ２２３）。
すなわち、電気の価格が充電基準価格以下であっても、現在バッテリー１９の充電状態が目標バッテリー充電量に到達していない、充電に使われる電気量が目標電気使用量に到達していない、または、充電に使われる電気料金が目標充電料金に到達していない場合にのみ、バッテリー１９を充電する。
このような様々な条件は、必要によって「ＡＮＤ」や「ＯＲ」の組み合わせで結合できることは勿論である。
【００４８】
（３）スケジューラ７３は、放電基準価格の他、放電量基準情報も考慮して、バッテリーの放電スケジュールを決定することができる。
図９を参照すると、スケジューラ７３は、電気の価格が放電基準価格以上であり（Ｓ２３１）、放電量基準情報に基づき、放電が必要と判断される場合にのみ、バッテリー１９を放電するようにバッテリーコントローラ７５を制御する（Ｓ２３２、Ｓ２３３）。
すなわち、電気の価格が放電基準価格以上であっても、現在バッテリー１９の放電状態が目標バッテリー放電量以上である、放電される電気量が目標電気放電量に到達していない、または、放電により得られる電気料金が目標放電料金に到達していない時に、バッテリー１９を放電する。
このような様々な条件は、必要によって「ＡＮＤ」や「ＯＲ」の組み合わせで結合できることは勿論である。
【００４９】
（４）スケジューラ７３は、使用者に最も経済的利益となる方向に充放電スケジュールを決定することができる。
図４を参照して説明したように、時間によって電気の価格が変動する時、バッテリー１９の充電可能価格帯は、電気の価格が最小であるＰｍｉｎから充電基準価格であるＰ１までであり、バッテリー１９の放電可能価格帯は、放電基準価格であるＰ２から電気の価格が最大であるＰｍａｘまでである。
充電は可能なかぎり低い電気の価格でなされることが、使用者にとって利益となり、放電は可能な高い電気の価格でなされることが、使用者にとって利益となる。したがって、スケジューラ７３は、可能限り低い電気の価格で充電がなされ、可能な限り高い電気の価格で放電がなされるようにスケジュールを決定する。
このために、スケジューラ７３は、バッテリーの特性情報を用いて充放電スケジュールを決定することができる。
バッテリーの特性情報を、バッテリー１９を充電するのにかかる標準時間や放電するのにかかる標準時間として説明すると、スケジューラ７３は、バッテリーの特性情報、残余容量情報、充電量基準情報などを用いてバッテリーの充電スケジュールを決定することができる。
また、スケジューラ７３は、バッテリーの特性情報、残余容量情報、放電量基準情報などを用いてバッテリーの放電スケジュールを決定することができる。
すなわち、スケジューラ７３は、時間による電気の価格情報を用いて、いつからいつまで充電または放電をすることが、使用者にとって最も利益となるかを確認し、それに基づいて充電スケジュールと放電スケジュールを決定する。
【００５０】
図１０は、時間によって変動する電気の価格に関する具体的な例を示す図である。図１０を参照して、使用者に最も経済的な利益となる方向に充放電スケジュールを決定する方法について説明する。
バッテリーの容量全体を充電するのにかかる標準時間が５時間であり、現在バッテリーの残余容量が６０％であり、使用者がバッテリー残余容量の割合として設定した目標バッテリー充電量が１００％であるとしよう。
この場合、４０％のバッテリー容量をさらに充電しなければならず、スケジューラ７３はバッテリー充電に２時間がかかると予想できる。
次いで、スケジューラ７３は、時間による電気の価格情報を参照して、電気の価格が最も低い区間から２時間を選別する。図１０では、０２時から０４時までが、電気の価格が最も低い時間区間である。したがって、スケジューラ７３は、０２時から０４時まで充電がなされるように充電スケジュールを決定し、当該時間に充電がなされるようにバッテリーコントローラ７５を制御する。
【００５１】
また、バッテリーの容量全体を充電するのにかかる標準時間が５時間であり、現在バッテリーの残余容量が９０％であり、使用者がバッテリー残余容量の割合として設定した目標バッテリー放電量が５０％であるとしよう。
この場合、４０％のバッテリー容量を放電できるので、スケジューラ７３は、バッテリー放電に２時間がかかると予想できる。
次いで、スケジューラ７３は、時間による価格情報を参照して、電気の価格が最も高い区間から２時間を選別する。図１０では、１４時から１６時までが、電気の価格が最も高い時間区間である。
したがって、スケジューラ７３は、１４時から１６時まで放電がなされるように放電スケジュールを決定し、当該時間に放電がなされるようにバッテリーコントローラ７５を制御する。
【００５２】
（５）スケジューラ７３は、充電スケジュールや放電スケジュールを、時間または電気の価格を基準にして決定することができる。
すなわち、上記例のように、スケジューラ７３は、充電スケジュールを０２時から０４時までの時間区間と決定でき、放電スケジュールを１４時から１６時までの時間区間と決定できる。図１１は、時間を基準にした充放電スケジュールを図式化したものである。
この場合、スケジューラ７３は、現在時間を確認し、０２時から０４時まで充電がなされるようにバッテリーコントローラ７５を制御し、１４時から１６時まで放電がなされるようにバッテリーコントローラ７５を制御する。
【００５３】
また、スケジューラ７３は、充電スケジュールを電気の価格を基準にして決定してもよい。図１０の例において、充電スケジュールを電気の価格Ｐａ及びＰｂと決定し、放電スケジュールをＰｃ及びＰｄと決定することができる。
この場合、スケジューラ７３は、現在時間における電気の価格がＰａやＰｂの時に、充電がなされるようにバッテリーコントローラ７５を制御し、ＰｃやＰｄの時に、放電がなされるようにバッテリーコントローラ７５を制御する。
【００５４】
（６）バッテリーは複数個でよい。
この場合、スケジューラ７３は、充電スケジュールと放電スケジュールを、各バッテリーに対して個別的に決定したり、バッテリーをグループ化し、バッテリーグループ別に決定したりすることができる。
図１２は、複数個のバッテリー１９−１にそれぞれ対応してバッテリーコントローラ７５−１を備え、各バッテリーごとに個別的に充放電スケジュールを決定する実施例を示している。
図１３は複数個のバッテリーをグループ化し、バッテリーグループ別に充放電スケジュールを決定する実施例を示す図で、各バッテリー群１９−１〜１９−ｋは、該当のバッテリー群にそれぞれ対応するバッテリーコントローラ群７５−１〜７５−ｋにより制御される。
多数のバッテリーをグループ化して管理すると、充電及び放電によって電気線路に流れる電力状態が不安定になることを最小化することによって、本発明に係る充電及び放電サービスを安定的に行うことが可能になる。この場合、各バッテリー群１９−１〜１９−ｋは順次に充電及び放電がなされるように制御することができる。
各バッテリー群１９−１〜１９−ｋの各バッテリーは、上述したスケジューラ７３の各実施例によって決定されるスケジュールにしたがって充放電状態となる。
【００５５】
次に、図１４及び図１５を参照して、本発明に係る充放電方法の実施例について説明する。
図１４を参照すると、本発明によってバッテリーの充電及び放電を可能にする装置またはシステムは、電力会社から供給する電気の価格情報、充電基準価格情報、放電基準価格情報を受信する（Ｓ２５１）。
段階Ｓ２５１において、使用者が充電基準価格情報及び放電基準価格情報を入力できるようにするユーザインターフェースは、様々に構成することができる。
例えば、使用者がキーパッドやタッチスクリーンなどを介して直接入力するように構成したり、使用者が携帯端末やＩＨＤ等の別の装置を介して遠隔入力するように構成したりすることができる。
電力会社から供給する電気の価格は、価格変動制の下で、図２に示す例のように、様々な構造を有することができる。
このような電気の価格情報は、中央サーバーから通信網を介して受信したり、使用者が直接入力したりすることができる。後者の場合、段階S２５１は、使用者が時間による電気の価格情報を入力できるようにユーザインターフェース（Ｕｓｅｒ  Ｉｎｔｅｒｆａｃｅ）を提供したり、使用者が時間による電気の価格情報を入力する別の装置、例えば、使用者の携帯端末やＩＨＤなどから受信したりすることができる。
【００５６】
段階Ｓ２５１において電力会社から供給する電気の価格情報、充電基準価格情報、放電基準価格情報が入力されると、電気の価格情報を充電基準価格や放電基準価格と比較する（Ｓ２５２）。
そして、比較の結果、電力会社から供給する電気の価格が充電基準価格以下であるとバッテリーを充電し（Ｓ２５３，Ｓ２５４）、電気の価格が放電基準価格以上であるとバッテリーを放電する（Ｓ２５５、Ｓ２５６）。
すなわち、段階Ｓ２５２における比較結果に基づいて、電気線路を通じてエネルギー使用先に引き込まれる交流（ＡＣ）電流を直流（ＤＣ）電流に変換してバッテリーを充電したり、バッテリーの直流（ＤＣ）電流を交流（ＡＣ）電流に変換して回収したりする。
【００５７】
本発明に係る充放電方法は、バッテリーの充放電動作をより細部的に調節したり、その機能を向上させたりするために、計量段階をさらに含むことができる。
計量段階は、バッテリーを充電するために消費される電気量や電気料金、バッテリーを放電する時に回収される電気量や電気料金を把握するように構成されればよい。
【００５８】
このような計量段階はスマートメーターで行えばよく、スマートメーターは、バッテリーに伝達されたり、バッテリーから回収される電気エネルギーを検出できるような任意の場所に設置すればいい。
【００５９】
計量段階は、バッテリーの残余容量情報及び電気の価格情報に基づき、充電時に必要な電気料金や放電時に発生する電気料金を、あらかじめ予測してもよい。
例えば、現在バッテリーの残余容量比率が６０％であり、バッテリーが完全に充電された時の電気量がＱｍａｘであれば、「Ｑｍａｘ×０．４」だけの電気量に電気の単位価格をかけることで、充電時に必要な電気料金を予測でき、放電時に発生する電気料金は、「Ｑｍａｘ×０．６」だけの電気量に電気の単位価格をかけて予測できる。
【００６０】
この時、計量段階は、充電基準価格及び放電基準価格に基づき、充電時に必要な電気料金や放電時に発生する電気料金を予測することもでき、放電時に電力会社からもらう電気料金を予測することもできる。
上記の例において、充電時に必要な電気料金は、「Ｑｍａｘ×０．４」だけの電気量に充電基準価格をかけて予測でき、放電時に発生する電気料金は、「Ｑｍａｘ×０．６」だけの電気量に放電基準価格をかけて予測できる。
【００６１】
放電時に電力会社からもらう電気料金は、電力会社と特別に設定しておいた電気エネルギーの再販売価格を適用してもよく、税金などを抜いて実際に使用者がもらう金額を予測してもよい。
計量段階で把握または予測したバッテリーの充電または放電と関連した電気料金、電力会社からもらう電気料金などの情報は、様々な有線または無線の通信方法を用いて中央サーバー、使用者の携帯端末、ＩＨＤなどに伝送することができる。
また、計量段階は、特定期間においてバッテリーを充電するのに使われた電気量や電気料金がも既に設定された上限値を超えるか否かを監視するように構成されてもよい。
ここで、上限値は、使用者１６が設定しておけばよく、監視の結果、バッテリーを充電した電気量や電気料金が、既に設定された上限値を超えると、使用者の携帯端末やＩＨＤに警告メッセージを伝送することができる。
【００６２】
図１５は、本発明に係る充放電方法のさらに他の実施例であり、本発明によってバッテリーの充電及び放電を可能にする装置またはシステムは、電力会社から供給する電気の価格情報、充電基準価格情報、放電基準価格情報を受信する（Ｓ２６１）。
また、バッテリーの充電及び放電をより細部的に調節するために、充放電条件に関する情報を受信して、バッテリーを充電するスケジュール及びバッテリーを放電するスケジュールを決定する（Ｓ２６２）。
ここで、充放電条件に関する情報とは、充電基準価格及び放電基準価格以外に、バッテリーの充放電を制御するために使用者が入力する情報のことをいい、必要に応じて多様なものとすることができる。
例えば、バッテリーの放電機能を非活性化させるか否かを決定する充放電モード情報、バッテリーの充電にかかる時間や放電にかかる時間などのバッテリーの特性情報、充電量基準情報、放電量基準情報などを挙げることができる。
上述したように、充電量基準情報とは、どの程度までバッテリーを充電するかに関する情報を指し、放電量基準情報とは、どの程度までバッテリーを放電するかに関する情報を指す。
【００６３】
そして、充電スケジュールに従う時、充電が必要な場合にはバッテリーを充電する動作を行い（Ｓ２６３、Ｓ２６４）、放電スケジュールに従う時、放電が必要な場合にはバッテリーを放電する動作を行う（Ｓ２６５、Ｓ２６６）。
この時、バッテリーの充電や放電は、バッテリーと電気線路とが連結される接点またはコンセントを連結状態や開放状態に制御して行えばよい。
【００６４】
段階Ｓ２６２において決定される充放電スケジュールに関する様々な例を具体的に説明する。
充放電条件に関する情報として入力される充放電モードが、放電機能を非活性化させるものであれば、放電は行わないように放電スケジュールを決定すればよい。
例えば、バッテリーが電気自動車のバッテリーであり、使用者が電気自動車を出退勤用に使用しているとすれば、使用者はバッテリーの放電を希望しないことがある。このように、使用者が、電気の価格が安い時にバッテリーを充電することにのみ関心があり、放電には関心がない場合、使用者の便宜のために、バッテリー放電を省いてよい。
【００６５】
充電基準価格に加えて、充電量基準情報も考慮して、バッテリーの充電スケジュールを決定してもよい。
すなわち、図８を参照して説明したように、電気の価格が充電基準価格以下であっても、現在バッテリーの充電状態が目標バッテリー充電量に到達していない、充電に使われる電気量が目標電気使用量に到達していない、または、充電に使われる電気料金が目標充電料金に到達していない時にのみバッテリーを充電する。
【００６６】
放電基準価格に加えて放電量基準情報も考慮して、バッテリーの放電スケジュールを決定してもよい。
すなわち、図９を参照して説明したように、電気の価格が放電基準価格以上であっても、現在バッテリーの放電状態が目標バッテリー放電量以上である、放電される電気量が目標電気放電量に到達していない、または、放電により得られる電気料金が目標放電料金に到達していない時にのみ、バッテリーを放電する。
このような様々な条件は、必要によって「ＡＮＤ」や「ＯＲ」の組み合わせで結合できることは勿論である。
また、使用者に最大の経済的な利益となるように充放電スケジュールを決定すればいい。
図４を参照して説明したように、時間によって電気の価格が変動する時、バッテリーの充電可能価格帯は、電気の価格が最小であるＰｍｉｎから充電基準価格であるＰ１までの時間区間であり、バッテリーの放電可能価格帯は、放電基準価格であるＰ２から電気の価格が最大であるＰｍａｘまでの時間区間である。
然るに、充電は、可能なかぎり低い電気の価格でなされることが、使用者にとって利益となり、放電は、可能な限り高い電気の価格でなされることが、使用者にとって利益となる。
この時、充放電スケジュールは、バッテリーの特性情報を用いて決定すればいい。
バッテリーの特性情報を、バッテリーを充電するのにかかる標準時間や放電するのにかかる標準時間に関する情報として説明すると、バッテリーの特性情報、残余容量情報、充電量基準情報などを用いて、バッテリーの充電にかかる時間を把握することができる。
また、バッテリーの特性情報、残余容量情報、放電量基準情報などを用いてバッテリーの放電にかかる時間を把握することができる。
これにより、時間による電気の価格情報を用いていつからいつまで充電または放電をすることが使用者にとって最も利益であるかが確認でき、これに基づいて充電スケジュール及び放電スケジュールを決定することができる。これに関する具体的な例は、図１０を参照して説明した通りである。
充電スケジュールや放電スケジュールは、時間を基準に決定してもよく、電気の価格を基準に決定してもよい。
すなわち、充電スケジュールや放電スケジュールを、何時から何時までといった時間区間と決定したり、いくらの電気価格からいくらの電気価格までといった価格区間と決定したりすることもできる。
前者の場合、段階Ｓ２６３は、現在時間が充電時間区間に属する時に充電が必要であると判断し、段階Ｓ２６５は、現在時間が放電時間区間に属する時に放電が必要であると判断する。
後者の場合、段階Ｓ２６３は、現在電気の価格が充電価格に属する時に充電が必要であると判断し、段階Ｓ２６５は、現在電気の価格が放電価格に属する時に放電が必要であると判断する。
【００６７】
一方、バッテリーは、複数個でよい。
この場合、段階Ｓ２６２は、充電スケジュールと放電スケジュールを各バッテリーに対して個別的に決定したり、バッテリーをグループ化してバッテリーグループ別に決定したりする。
多数のバッテリーをグループ化して管理すると、充電及び放電によって電気線路に流れる電力状態が不安定になることを最小化することによって、本発明に係る充電及び放電サービスを安定的に行うことが可能になる。この時、各バッテリー群は順次に充電及び放電がされるように制御すればよい。
各バッテリー群の各バッテリーは、上述したスケジュール決定方法の各実施例によって決定されるスケジュールにしたがって充放電状態となる。
【００６８】
以上の実施例は、本発明の理解を助けるためのもので、本発明は、これらの実施例に限定されず、本発明の技術的思想を逸脱しない範囲内で様々に変形して実施できるということは、当業者にとっては明らかである。
【符号の説明】
【００６９】
１１        電力会社
１１−１    電気線路
１３        中央サーバー
１５        負荷
１７−１    使用者の携帯端末
１７−２    ＩＨＤ（Ｉｎ  Ｈｏｍｅ  Ｄｉｓｐｌａｙ）
１９        バッテリー
２１        受信手段
２２        第１入力手段
２３        第２入力手段
２５        比較手段
２６        充放電手段
２７        計量手段
２８        計測手段
２９        伝送手段
３０        充放電装置
７１        第３入力手段
７３        スケジューラ
７５        バッテリーコントローラ
【図１】
0005524910.tif 000002
【図２】
0005524910.tif 000003
【図３】
0005524910.tif 000004
【図４】
0005524910.tif 000005
【図５】
0005524910.tif 000006
【図６】
0005524910.tif 000007
【図７】
0005524910.tif 000008
【図８】
0005524910.tif 000009
【図９】
0005524910.tif 000010
【図１０】
0005524910.tif 000011
【図１１】
0005524910.tif 000012
【図１２】
0005524910.tif 000013
【図１３】
0005524910.tif 000014
【図１４】
0005524910.tif 000015
【図１５】
0005524910.tif 000016